(57)【要約】【課題】画像情報はフルカラー形式となる際には一つの画素が１６７７万７千２１６色に定義される。また、業務用のトゥルーカラー形式の画像情報の際は一つの画素が約１０億色を扱う場合がある。そのため、これら無数の画像情報の画素の一々に対して、予め画像を変換するための情報を定めることは大変困難であった。【解決手段】本願に係る色覚情報変換装置は、色度図上の混同線で示される情報に基いて画像情報が色覚障害者が弁別困難な色の組合せである混同組を有するか否かを判断し、その混同組を有するとの判断結果である場合には、画像情報を、色覚障害者が弁別容易な色とした画像情報である調整済画像情報に変換する。これにより、画像情報が何十億色を有するトゥルーカラー形式であっても色覚障害者用の画像情報を提供することができる。本願に係る色覚情報変換装置は、画像情報取得部と混同判断部と変換部とを有する。【選択図】図１
2004272516.tif 000002
【特許請求の範囲】
【請求項１】
画像を表示するための情報である画像情報を取得する画像情報取得部と、
前記画像情報取得部で取得された画像情報により表示される画像の隣接する二色の組合せが色覚障害者が弁別困難な組合せである混同組であるか判断する混同判断部と、
前記混同判断部での判断結果が二色の組合せが混同組であるとの判断結果である場合には、前記画像情報取得部が取得した画像情報を、前記二色のいずれか一方又は両者を色覚障害者が弁別容易な色とした画像情報である調整済画像情報に変換する変換部と、
を有する色覚情報変換装置。
【請求項２】
前記混同組判断部は、色度図上の混同線を利用して混同組であるか判断をする色度図混同線計算手段を有する請求項１に記載の色覚情報変換装置。
【請求項３】
前記変換部は、前記変換が、色度図上での（ｘ，ｙ）の値が、０．２５＜ｘ，ｙ＜０．４で示される範囲から遠ざかるような変換となるように前記変換を行う請求項１又は２に記載の色覚情報変換装置。
【請求項４】
前記調整済画像情報を、画像を表示するための装置に出力する調整済画像情報出力部を有する請求項１記載の色覚情報変換装置。
【請求項５】
前記画像情報取得部は、通信により画像情報を取得する通信手段、放送により画像情報を取得する受信手段、記録媒体から画像情報を取得する入力手段のいずれか一以上の手段を有する請求項１記載の色覚情報変換装置。
【請求項６】
前記画像情報取得部は、ＣＣＤからデジタルの画像情報を取得するデジタル画像情報取得手段をさらに有する請求項４記載の色覚情報変換装置。
【請求項７】
前記混同判断部は、前記混同組である二色の組合せに関する混同組データベース手段を有し、
前記混同組データベース手段は、前記隣接する二色の画像情報の組合せが、黄色と黄緑の組合せ、又は赤色と茶色の組合せ、又は寒色系の色同士の組合せ、又は暖色系の色同士の組合せ、又はパステル調の色同士の組合せを混同組として保持する請求項１記載の色覚情報変換装置。
【請求項８】
前記変換部は、前記画像情報取得部が取得した画像情報を前記調整済画像情報に変換する際に、前記画像情報が有する明度の情報と色相彩度情報のいずれか一方又は両者を色差を利用して変化させることを特徴とする請求項１記載の色覚情報変換装置。
【請求項９】
画像を表示するための情報である画像情報を取得する画像情報取得ステップと、
前記画像情報取得ステップで取得された画像情報により表示される画像の隣接する二色の組合せが色覚障害者が弁別困難な組合せである混同組であるか判断する混同判断ステップと、
前記混同判断ステップでの判断結果が二色の組合せが混同組であるとの判断結果である場合には、前記画像情報取得ステップにて取得した画像情報を、前記二色のいずれか一方又は両者を色覚障害者が弁別容易な色とした画像情報である調整済画像情報に変換する変換ステップと、
を有する色覚情報変換方法。
【発明の詳細な説明】
【０００１】
【発明の属する技術分野】
本発明は、色覚障害者が色相を弁別できる画像情報を提供する装置に関する。
【０００２】
【従来の技術】
従来の色覚障害者用の画像情報の表示方法として下記公知文献がある。従来の技術は、予め定められた画像を変換するための情報に基づいて、色覚障害者用の画像情報を提供するものであった。
【０００３】
【特許文献１】
特開２００２−５５６７１号公報（第２頁−第１１頁、第１図−第１０図）
【０００４】
【発明が解決しようとする課題】
しかし、画像情報はフルカラー形式となる際には一つの画素が１６７７万７千２１６色に定義される。また、業務用のトゥルーカラー形式の画像情報の際は一つの画素が約１０億色を扱う場合がある。そのため、これら無数に色が定義される画像情報の画素の一々に対して、予め画像を変換するための情報を定めることは大変困難であった。
【０００５】
【課題を解決するための手段】
本願に係る色覚情報変換装置は、色度図上の混同線で示される情報に基いて画像情報が色覚障害者が弁別困難な色の組合せである混同組を有するか否かを判断し、その混同組を有するとの判断結果である場合には、画像情報を、色覚障害者が弁別容易な色とした画像情報である調整済画像情報に変換する。これにより、画像情報が何十億色を有するトゥルーカラー形式であっても色覚障害者用の画像情報を提供することができる。本願に係る色覚情報変換装置は、画像情報取得部と混同判断部と変換部とを有する。
【０００６】
【発明の実施の形態】
以下、本発明の実施の形態を図示例と共に説明する。
本発明の実施形態１は主に請求項１、９などに対応する。
本発明の実施形態２は主に請求項２などに対応する。
本発明の実施形態３は主に請求項３などに対応する。
本発明の実施形態４は主に請求項４などに対応する。
本発明の実施形態５は主に請求項５などに対応する。
本発明の実施形態６は主に請求項６などに対応する。
本発明の実施形態７は主に請求項７などに対応する。
本発明の実施形態８は主に請求項８などに対応する。
＜実施形態１＞
＜概要＞
【０００７】
図１は本実施形態の概念図の一例である。色覚障害者が画像情報を閲覧する場合を利用して、本実施形態の概念を説明する。色覚障害者がある模様が施された画像情報を閲覧したが、画像情報の上部の模様の色の弁別が困難であった（図１中１）。そこで、色覚情報変換装置を利用することにした（図１中２）。色覚情報変換装置は前記画像情報を取得した（図１中２ａ）。画像情報は黄色と黄緑色と青色が隣り合わせとなっている模様である。上下左右の隣り合う２つの画素同士が混同組となるかを判断する（図１中２ｂ）。すると、隣り合う黄色の画素と黄緑の画素が混同組であると判断される。そして、隣り合う２つの画素の一方の黄緑の色を水色に変換する（図１中２ｃ）。水色へ変換することとしたのは水色と黄緑及び水色と黄色は混同組とはならないためである。そして、このように画像情報の一部の画素が水色に変換された調整済画像情報を色覚障害者が閲覧することで、色覚障害者は弁別が困難であった画像情報の上部の模様を容易に弁別でき、色覚障害の不都合を感じることが少なくなる（図１中３）。
＜構成＞
【０００８】
図２は本実施形態の色覚情報変換装置の機能ブロックの一例である。本実施形態の色覚情報変換装置０２００は、画像情報取得部０２０１と混同判断部０２０２と変換部０２０３とを有する。
【０００９】
「画像情報取得部」は、画像を表示するための情報である画像情報を取得する。「画像情報」とは、色相及び彩度及び明度からなる画素の情報の集合体のであり、各々の画素の情報が色相彩度情報と明度の情報との色の情報を有している。色相彩度情報とは、画素の色相と彩度を表わす情報である。一つの画素の色相と彩度は一つの情報で表わすことができる。明度の情報とは明るさの色の情報である。「表示」とは、画像を閲覧できる形式に表わすことをいう。「取得」とは、前記画像情報を色覚情報変換装置が取得することをいう。
【００１０】
「混同判断部」は、前記画像情報取得部で取得された画像情報により表示される画像の隣接する二色の組合せが色覚障害者が弁別困難な組合せである混同組であるか判断する。「隣接する二色の組合せ」とは、前記画像情報である画素の集合体の中で、隣り合う画素が有する色相彩度情報を一まとまりとして考えたものいう。前記画素が左右に隣り合ってもよいし、上下に隣り合ってもよい。であるので、一つの画素が隣り合う二色の組合せには四通りの組合せがある。「混同組」とは、色覚障害者が色相彩度情報の違いを見分けることができない隣り合う二色の画素の組合せをいう。ここでいう、色覚障害者は赤錐体が機能しない第一色盲と、緑錐体が機能しない第二色盲と、青錐体が機能しない第三色盲の３種の色覚障害者を含むこととする。錐体とは、分光吸収特性がある、光刺激を神経の活動電位に変換する人などの視細胞のことである。３種の色覚障害者はそれぞれ各々に特有の混同組を有している。「判断」とは、隣接する二色の組合せの画素の色相彩度情報を混同組であるかどうかを判定することである。
【００１１】
「変換部」は、前記混同判断部での判断結果が二色の組合せが混同組であるとの判断結果である場合には、前記画像情報取得部が取得した画像情報を、前記二色のいずれか一方又は両者を色覚障害者が弁別容易な色とした画像情報である調整済画像情報に変換する。「判断結果」とは、前記画像情報の中での隣り合う二色の画素に混同組が存在するか否かを伝える情報である。これは、第一色盲にとっての判断結果であってもよいし、第二色盲にとっての判断結果であってもよいし、第三色盲にとっての判断結果であってもよい。また、第一色盲及び第二色盲及び第三色盲の全ての色覚障害者にとっての判断結果であってもよい。「調整済画像情報」とは、色覚障害者が容易に全ての隣り合う二色の画素の色相彩度情報を弁別することができる画像情報である。「変換」とは、混同組である隣り合う二色の画素の組のいずれか一方又は双方の色相彩度情報を混同組とならないように変化させることをいう。
【００１２】
本実施形態の色覚情報変換装置の実施の一例を図１を利用して説明する。ある模様を表わした画像情報があるが、第一色盲の色覚障害者は上部の色の模様を弁別することが困難である（図１中１）。色覚情報変換装置の画像取得部は前記画像情報を取得する。前記画像情報は１６個の画素で構成されており、黄色と黄緑と青の色相彩度情報を有している（図１中２ａ）。そして、混同判断部は、画像情報の中の隣り合う黄色と黄緑の画素が混同組であると判断する（図１中２ｂ）。そして、変換部は、波長が小さい方の黄色の画素をより波長の小さい色の水色に変換し、調整済画像情報を提供する（図１中２ｃ）。前記調整済画像情報において、黄色と水色は混同組ではなく、黄緑と水色も混同組ではない。そのため、第一色盲の色覚障害者は前記調整済画像情報の色相彩度情報が表わす模様の弁別が容易になる（図１中３）。
＜処理の流れ＞
【００１３】
図３は本実施形態の色覚情報変換装置のフロー図の一例である。本実施形態の色覚情報変換装置は以下のステップを有してもよい。まず、画像情報を取得する（ステップＳ０３０１）。画像情報により表示される画像の隣接する二色の組合せが色覚障害者が弁別困難な組合せである混同組であるか判断する（ステップＳ０３０２）。混同組がある際には、画像情報により表示される画像の隣接する二色のいずれか一方又は両者を色覚障害者が弁別容易な色とした画像情報である調整済画像情報に変換する（ステップＳ０３０３）。
＜効果＞
【００１４】
本実施形態の色覚情報変換装置を利用することで、色覚障害者は画像情報を閲覧する際に画像情報の色相彩度情報の弁別が困難でなることがなくなり、色覚障害の不都合を感じることが少なくなる。
＜実施形態１以上＞
＜実施形態２＞
＜概要＞
【００１５】
実施形態２の色覚情報変換装置は、実施形態１に記載の混同組判断部が色度図上の混同線を利用して実施形態１に記載の混同組であるか判断をする色度図混同線計算手段を有することを特徴とする。本実施形態の色覚情報変換装置を利用することで、画像情報の画素の色相彩度情報が１０億以上にも定義されるトゥルーカラー形式の情報である際にも、的確に、隣り合う画素の色相彩度情報が混同組であるか否かを判断することができる。そして、本実施形態の色覚情報変換装置はトゥルーカラー形式の画像情報を取得し、実施形態１に記載の調整済画像情報を提供することができる。
＜構成＞
【００１６】
図４は本実施形態の色覚情報変換装置の機能ブロックの一例である。本実施形態の色覚情報変換装置０４００は、画像情報取得部０４０１と混同判断部０４０２と変換部０４０３とを有する。これらは前述の実施形態と基本的に同様の機能を果たすので説明は省略する。
【００１７】
本実施形態の色覚情報変換装置の混同組判断部は、色度図上の混同線を利用して混同組であるか判断をする色度図混同線計算手段０４０４を有する。「色度図上の混同線を利用して混同組であるか判断をする」とは、隣り合う画素の色相彩度情報の二色の組合せが混同組であるかをＣＩＥ（Ｃｏｍｍｉｓｓｉｏｎ  Ｉｎｔｅｒｎａｔｉｏｎａｌｅ  ｄ’Ｅｃｌａｉｒａｇｅ）ｘｙ色度図上の混同線を用いて判断することをいう。ＣＩＥｘｙ色度図とは、１０億種類以上の考えられる全ての色相彩度情報が二次元上に表現された図である。ＣＩＥｘｙ色度図上では、横軸にｘ軸と縦軸にｙ軸を設け、ｘとｙの二次元座標に示される点が特定の色相彩度情報を表わす。
【００１８】
図５はＣＩＥｘｙ色度図の一例である。波長の長い色から波長の短い色までが、反時計回りに扇形に表現されている。波長の一番長い色相彩度情報が扇形の右端にある赤色であり、次いで、茶色、黄色、黄緑色、緑色、青緑色、水色、青色、青紫色となり、一番波長の短い色相彩度情報が最下にある紫色となる。そして、赤紫色を通じて最長波長の赤色と最短波長の紫色がつながっている。ＣＩＥｘｙ色度図上に表わされる混同線とは、健常者には隣り合う二色が違う色に感じるが、色覚障害者には隣り合う二色が同じ色であると感じる色相彩度情報が表わされたＣＩＥｘｙ色度図上の直線である。この直線上にある色相彩度情報が隣り合う二色となると、色覚障害者は色を弁別することが困難となる。ＣＩＥｘｙ色度図及び混同線は公知の自然法則である。そして、ＣＩＥｘｙ色度図上の混同線を用いることで定量的な混同組の判断を行うことができる。そのため、画像情報の色相彩度情報が１０億種類以上になっても、計算により隣り合う画素の色相彩度情報が混同組であるかを判断することができる。
【００１９】
本実施形態の実施例の一例を、第一色盲の色覚障害者がある画像情報を閲覧する際を利用して説明する。
【００２０】
図６はテレビなどで放映される天気予報の図である。図６の画像情報では、山間部が緑で平野部が黄緑色の日本地図０６０１の上にオレンジ色をした太陽の記号０６０２が表示されている。太陽の記号は外側は黄色で炎で縁取り０６０３がされている。この場合には、第一色盲の色覚障害者は、日本地図とその上に記載される太陽の記号との弁別が大変困難となる。もちろん、彼は、日本地図の形の知識と太陽の形の知識があるため、天気予報図を彼の頭で修正し、東京は晴れであるとの天気予報の意味を推測することができるが、天気予報図上に表わされた色を容易に弁別することができない。そこで、彼は色覚情報変換装置を利用することにする。色覚情報変換装置の画像情報取得部が図６の画像情報を取得する。つまり、図６の画像情報が有するすべての画素の色相彩度情報を取得する。そして、混同判断部により、一つ一つの画素に対して、その色相彩度情報が上及び下及び左及び右の隣接する画素の色相彩度情報のそれぞれとの間で二色の組合せが混同組となるか否かを判断する。
【００２１】
図７は第一色盲の混同線を表わす図である。第一色盲の混同線は赤色の点付近で１点に交わる。これをここでは収束点０７０１という。そして、混同判断部は東京と栃木の晴れの記号である太陽の炎の縁取りの黄色の色相彩度情報（ｘ，ｙ）＝（０．５２，０．４５）（図８中０８０１）と、日本地図の関東平野の黄緑色の色相彩度情報（ｘ，ｙ）＝（０．２５，０．７）（図８中０８０２）とが混同組であると判断する。第一色盲の混同線の収束点は（ｘ，ｙ）＝（０．７３，０．２７）（図８中０８０３）である。第一色盲の収束点と黄緑色の点とを結んだ直線の傾きは、（△ｘ，△ｙ）＝（０．２１，０．１８）（図８中０８０４）であるので、０．２１／０．１８＝約１．１７（千分の一以下四捨五入済み）である。第一色盲の収束点と黄色の点とを結んだ直線の傾きは、（△ｘ，△ｙ）＝（０．４９，０．４２）（図８中０８０５）であるので、０．４９／０．４２＝約１．１７（千分の一以下四捨五入済み）である。このように第一色盲の収束点に対する黄緑の色相彩度情報の点の傾きと第一色盲の収束点に対する黄色の色相彩度情報の点の傾きとが一致したため、隣り合う黄色と黄緑色の色相彩度情報を有する二つの画素は、第一色盲の混同線上に存在することになり、混同組であると判定される。第二色盲や第三色盲の際は収束点が異なるのみで、同じ方法で判断できる。第一及び第二及び第三色盲の収束点に対して隣り合う二色の色相彩度情報を判断することで、全盲の方を除く全ての人々に色相彩度情報が弁別可能かどうかを判断することができる。
【００２２】
そして、変換部は前記画像情報の混同組と判定された画素の組の座標情報を取得する。黄色である画素（６．３，２．４）（図６中０６０４）と黄緑色である画素（６．３，２．５）（図６中０６０５）との上下の隣同士の画素の組である。色度図上のｙの値が高い方の画素の色相彩度情報を変化させることにする。黄色の色相彩度情報は（０．５２，０．４５）であり、黄緑色の色相彩度情報は（０．２５，０．７）であり、黄緑色の方がｙの値が高いため、黄緑色の色相彩度情報を変化させる。本実施形態においてはこの条件は任意に設定されてよい。そして、黄緑色の色相彩度情報のｘの値を０．１マイナスすることにする。すると、新しい色相彩度情報の値は（０．１５，０．７）（図８中０８０６）となり、濃い緑色の色相彩度情報に変化する。ｘの値がマイナスできない際はプラスにしてもよい。ｘの値を変化させる理由は、色度図上で色が変化する可能性が高いためである。そして、前記黄緑色の色相彩度情報の画素と隣接する同じ値の色相彩度情報を有する画素の集合を、前記黄緑色の色相彩度情報を濃い緑色に変化させる際に、同じ濃い緑色に変化させてもよい。つまり、日本地図の関東平野の箇所全体の色相彩度情報の画素を濃い緑色に変化させてもよい。これにより、二つの隣接する色相彩度情報の画素の面の集合の一方または双方を変化させることができる。そして、以前黄緑色であった画素が濃い緑色に変化することで、前記天気予報図の画像情報において、東京の天気を示す太陽の記号の黄色の炎の箇所と隣り合わせになる日本地図の関東平野の色が濃い緑色となり、第一色盲の色覚障害者にとって、太陽の記号と日本地図との色相彩度情報の弁別が容易になる。このようにして、色相彩度情報の弁別が困難であった天気予報図が色覚障害者にとってバリアフリーな天気予報図となった。
【００２３】
本実施形態はＸＹＺ表色系のＣＩＥｘｙ色度図における実施例を説明したが、Ｌ＊Ｂ＊Ｃ表色系色度図、Ｌ＊Ｃ＊ｈ表色系色度図、ハンターＬａｂ表色系色度図、マンセル表色系色相環などを利用しても同様に本実施形態の色覚情報変換装置が実施できることは言うまでもない。
＜処理の流れ＞
【００２４】
図９は本実施形態の色覚情報変換装置のフロー図の一例である。本実施形態の色覚情報変換装置は以下のステップを有してもよい。まず、画像情報を取得する（ステップＳ０９０１）。画像情報により表示される画像の隣接する二色の組合せが色覚障害者が弁別困難な組合せである混同組であるかを色度図上の混同線を利用して判断する（ステップＳ０９０２）。混同組がある際には、画像情報により表示される画像の隣接する二色のいずれか一方又は両者を色覚障害者が弁別容易な色とした画像情報である調整済画像情報に変換する（ステップＳ０９０３）。
＜効果＞
【００２５】
本実施形態の色覚情報変換装置を利用することで、画像情報の隣り合う画素の色相彩度情報が無数の種類に定義されようとも、定量的に画像情報が有する混同組を判断することで、色覚情報変換装置は調整済画像情報を色覚障害者に提供することができる。
＜実施形態２以上＞
＜実施形態３＞
＜概要＞
【００２６】
実施形態３の色覚情報変換装置は、実施形態１に記載の変換部において、実施形態１記載の変換が、色度図上での（ｘ，ｙ）の値が、０．２５＜ｘ，ｙ＜０．４で示される範囲から遠ざかるような変換となるように前記変換を行うことを特徴とする。これにより、調整済画像情報の色相彩度情報の中に白色を存在しないようにすることができ、色覚障害者に見易い調整済画像情報を提供することができる。
＜構成＞
【００２７】
図１０は本実施形態の色覚情報変換装置の機能ブロックの一例である。本実施形態の色覚情報変換装置１０００は、画像情報取得部１００１と混同判断部１００２と変換部１００３とを有する。そして、前記混同組判断部は色度図混同線計算手段を有してもよい。これらは前述の実施形態と基本的に同様の機能を果たすので説明は省略する。
【００２８】
本実施形態の色覚情報変換装置の変換部は、実施形態１に記載の変換が、実施形態２記載のＣＩＥｘｙ色度図上での（ｘ，ｙ）の値が、０．２５＜ｘ，ｙ＜０．４で示される範囲から遠ざかるような変換となるように前記変換を行う。「（ｘ，ｙ）の値が、０．２５＜ｘ，ｙ＜０．４で示される範囲から遠ざかる」ことの理由は、ＣＩＥｘｙ色度図の中央付近にある白色の色相彩度情報の範囲が０．２５＜ｘ，ｙ＜０．４の四角形に示される範囲（図１１中１１０１）であるためであり、そのため、変換される画素の色相彩度情報が前記範囲に変換され、白色になってしまうことを避けるためである。もし、変換される画素の色相彩度情報が白色になると調整済画像情報の中に白抜きの画素が偏在することになり、色覚障害者以外の人にとっても見難い画像となってしまう可能性がある。
【００２９】
本実施形態の色覚情報変換装置における実施の一例を示す。図１１で示されるＣＩＥｘｙ色度図の中の（Ａ）（図１１中１１０２）の色相彩度情報の座標値は、（０．４８，０．３）である。これはりんごの赤色である。この色相彩度情報を本実施形態の変換部が変換する際には、ｙの値の０．３が０．２５＜ｙ＜０．４で示される範囲にあるため、ｘの値をマイナスに変化させてしまうと、色相彩度情報が白色になっていまう可能性が出てくる。ｘの値をプラスに変化させつつ、ｙの値を変化させることで、色相彩度情報が白色となることを避ける。そして、ｘとｙの値を０．１プラスすることで、（Ａ）の色相彩度情報の座標値を、（０．５８，０．４）（図１１中１１０３）に変化させる。この色相彩度情報はオレンジ色になる。つまり、りんごの赤色からオレンジ色に変化させるという変換を行うことによって、変換部により提供される調整済画像情報が白抜きとなることを防ぎ、調整済画像情報を見易くすることが出来る。
＜処理の流れ＞
【００３０】
図１２は本実施形態の色覚情報変換装置のフロー図の一例である。本実施形態の色覚情報変換装置は以下のステップを有してもよい。まず、画像情報を取得する（ステップＳ１２０１）。画像情報により表示される画像の隣接する二色の組合せが色覚障害者が弁別困難な組合せである混同組であるかを色度図上の混同線を利用して判断する（ステップＳ１２０２）。混同組がある際には、画像情報により表示される画像の隣接する二色のいずれか一方又は両者を、色度図上での（ｘ，ｙ）の値が、０．２５＜ｘ，ｙ＜０．４で示される範囲から遠ざかるようにすることで、色覚障害者が弁別容易な色とした画像情報である調整済画像情報に変換する（ステップＳ１２０３）。
＜効果＞
【００３１】
本実施形態の色覚情報変換装置を利用することで、白抜きの部分がない調整済画像情報を色覚障害者に提供することができ、見易い調整済み画像情報を色覚障害者は閲覧することができる。
＜実施形態３以上＞
＜実施形態４＞
＜概要＞
【００３２】
実施形態４の色覚情報変換装置は、画像を表示するための装置に出力する調整済画像情報出力部を有することを特徴とする。本実施形態の色覚情報変換装置を利用することで、色覚障害者は色の弁別が容易な調整済画像をテレビやディスプレイやプリンタからの印刷物などを通じて閲覧することができる。たとえば、図９の天気予報図の画像情報を色覚障害者はテレビを通じて、閲覧することもできるし、プリンタから印刷された紙媒体を通じて閲覧することもできる。
＜構成＞
【００３３】
図１３は本実施形態の色覚情報変換装置の機能ブロックの一例である。本実施形態の色覚情報変換装置１３００は、画像情報取得部１３０１と混同判断部１３０２と変換部１３０３とを有する。これらは前述の実施形態と基本的に同様の機能を果たすので説明は省略する。
【００３４】
本実施形態の色覚情報変換装置は、さらに、前記調整済画像情報を、画像を表示するための装置に出力する調整済画像情報出力部１３０４を有する。「画像を表示するための装置」とは、静止画や動画を色覚障害者が閲覧するために表示する装置である。たとえば、テレビ又は、ディスプレイ、又は、プリンタなどである。「出力」とは、画像情報を画像を表示するための装置に前記調整済画像情報を色覚情報変換装置を通じて出力することをいう。また、前記出力された調整済画像を記録媒体などに蓄積し、記録媒体を通じて、調整済画像情報を画像を表示するための装置に表示してもよい。たとえば、色覚情報変換装置からの調整済画像情報をＤＶＤレコーダを利用してＤＶＤなどに蓄積し、そのＤＶＤをＤＶＤプレーヤを通じて再生することで、前記調整済画像情報をテレビなどに出力してもよい。
＜処理の流れ＞
【００３５】
図１４は本実施形態の色覚情報変換装置のフローの一例の図である。本実施形態の色覚情報変換装置は以下のステップを有してもよい。画像情報を取得する（ステップＳ１４０１）。画像情報により表示される画像の隣接する二色の組合せが色覚障害者が弁別困難な組合せである混同組であるか判断する（ステップＳ１４０２）。混同組がある際には、画像情報により表示される画像の隣接する二色のいずれか一方又は両者を色覚障害者が弁別容易な色とした画像情報である調整済画像情報に変換する（ステップＳ１４０３）。調整済画像情報を画像を表示するための装置に出力する（ステップＳ１４０４）。
＜効果＞
【００３６】
本実施形態の色覚情報変換装置を利用することで、色覚障害者は多様な画像を出力する装置を通じて調整済画像情報を閲覧することができる。
＜実施形態４以上＞
＜実施形態５＞
＜概要＞
【００３７】
実施形態５の色覚情報変換装置は、実施形態１に記載の画像取得部が、通信により画像情報を取得する通信手段、放送により画像情報を取得する受信手段、記録媒体から画像情報を取得する入力手段のいずれか一以上の手段を有することを特徴とする。本実施形態の色覚情報変換装置を利用することで、多様なメディアから画像情報を取得することができ、色覚障害者に実施形態１記載の調整済画像情報を提供することができる。たとえば、地上波デジタル放送の信号を受信し、色覚情報変換装置が画像情報を取得することで、色覚障害者はテレビを通じてその調整済画像情報を閲覧することができる。
＜構成＞
【００３８】
図１５は本実施形態の色覚情報変換装置の機能ブロックの一例である。本実施形態の色覚情報変換装置１５００は、画像情報取得部１５０１と混同判断部１５０２と変換部１５０３とを有する。これらは前述の実施形態と基本的に同様の機能を果たすので説明は省略する。
【００３９】
本実施形態の色覚情報変換装置の前記画像情報取得部は、通信により画像情報を取得する通信手段１５０４、放送により画像情報を取得する受信手段１５０５、記録媒体から画像情報を取得する入力手段１５０６のいずれか一以上の手段を有する。「通信手段」とは、通信により画像情報を取得する手段であり、たとえば、インターネットや赤外線通信や無線通信や地上電話や携帯電話やブルートゥース対応機器などの通信手段である。「受信手段」とは、放送により画像情報を取得する手段であり、たとえば、地上波アナログ放送や地上波デジタル放送やアナログ衛星放送やデジタル衛星放送やインターネットのブロードバンドによる放送などである。「入力手段」とは、記録媒体から画像情報を取得する手段であり、たとえば、パソコンや情報家電などに備えられたハードディスク、遠隔地及びＬＡＮ内のサーバなどのデータベース、ＳＤカード（登録商標）や携帯電話などのメモリ、そして、ＤＶＤなどの媒体である。
【００４０】
本実施形態の色覚情報変換装置の実施の一例を示す。通常に市販されている、映画などが録画されたＤＶＤをＤＶＤプレーヤで再生する際を利用して説明する。ＤＶＤプレーヤの出力端子から出力される映像信号を色覚情報変換装置の画像取得部の入力手段より取得されるようにケーブルでＤＶＤプレーヤと色覚情報変換装置を接続する。そして、色覚情報変換装置が提供する実施形態１に記載の調整済画像情報をテレビなどに表示させる。まず、ＤＶＤプレーヤから出力された動画の画像情報を画像取得部の入力手段が取得する。そして、混同判断部は、動画の画像情報がプログレッシブ形式であってもインタレース形式であってもリアルタイムに上下左右の隣り合う画素の色相彩度情報が混同組であるか判断し、混同組があった際には、変換部が混同組と判断された画素の一方の色相彩度情報を変化させる。そして、ＤＶＤプレーヤが画像情報を色覚情報変換装置が取得してから瞬く間もない後に、調整済み画像情報をテレビなどに表示する。本実施例における色覚情報変換装置はＤＳＰ（ｄｉｇｉｔａｌ  ｓｉｇｎａｌ  ｐｒｏｃｅｓｓｏｒ）チップなどで構成されていてもよい。そして、このＤＳＰチップを有するボードがＤＶＤプレーヤの中に内蔵されていてもよい。
＜処理の流れ＞
【００４１】
図１６は本実施形態の色覚情報変換装置のフローの一例の図である。本実施形態の色覚情報変換装置は以下のステップを有してもよい。通信または放送または記録媒体から画像情報を取得する（ステップＳ１６０１）。画像情報により表示される画像の隣接する二色の組合せが色覚障害者が弁別困難な組合せである混同組であるか判断する（ステップＳ１６０２）。混同組がある際には、画像情報により表示される画像の隣接する二色のいずれか一方又は両者を色覚障害者が弁別容易な色とした画像情報である調整済画像情報に変換する（ステップＳ１６０３）。
＜効果＞
【００４２】
本実施形態の色覚情報変換装置を利用することで、多様なメディアを通じて画像情報を取得することができ、色覚障害者に調整済画像情報を提供することができる。
＜実施形態５以上＞
＜実施形態６＞
＜概要＞
【００４３】
本実施形態の色覚情報変換装置の実施形態３に記載の画像情報取得部は、ＣＣＤ（Ｃｈａｒｇｅ  Ｃｏｕｐｌｅｄ  Ｄｅｖｉｃｅ）からデジタルの画像情報を取得するデジタル画像情報取得手段をさらに有することを特徴とする。本実施形態の色覚情報変換装置を利用することで、直接デジタルの画像情報を取得することができる。たとえば、ＣＣＤが内蔵されたデジタルカメラより取得された画像情報を基に色覚情報変換装置は実施形態１に記載の調整済画像情報を色覚障害者に提供することができる。
＜構成＞
【００４４】
図１７は本実施形態の色覚情報変換装置の機能ブロックの一例である。本実施形態の色覚情報変換装置１７００は、画像情報取得部１７０１と混同判断部１７０２と変換部１７０３と調整済画像情報出力部１７０４とを有する。これらは前述の実施形態と基本的に同様の機能を果たすので説明は省略する。
【００４５】
本実施形態の色覚情報変換装置の前記画像情報取得部は、ＣＣＤからデジタルの画像情報を取得するデジタル画像情報取得手段１７０５をさらに有する。「ＣＣＤからデジタルの画像情報」とは、小さなフォトダイオードの集まりにより構成されるＣＣＤに光が当たった際にたまる全ての電荷をＡＤ（アナログデジタル）変換器でデジタルデータに変換し、そのデジタルデータを計算がされることで作成される画像の情報である。赤、緑、青を受け持つフォトダイオードにためられる電荷はデジタルデータに変換されて一つの画素を表わすことになる。「取得」とは、前記ＣＣＤからのデジタルの画像情報を色覚情報装置が取得することをいう。
【００４６】
本実施形態の色覚情報変換装置の実施の一例を説明する。色覚障害者はＣＣＤを内蔵するデジタルカメラで写真を撮る。写真はデジタルデータ形式でデジタルカメラ内の小型記憶媒体、たとえば、ＳＤカード（登録商標）などに蓄積される。画像取得部のデジタル画像情報取得手段は前記小型記憶媒体からデジタルデータ形式の写真の画像情報を取得する。そして、混同判断部により前記画像情報に混同組があるかが判断され、混同組がある際は、変換部により混同組となった画素の色相彩度情報が変換される。そして、調整済画像情報出力部により、写真の調整済画像情報をプリントアウトし、色覚障害者に印刷された写真の調整済画像情報を提供する。このように、ＣＣＤにより直接デジタルの画像情報を取得し、調整済画像情報を色覚障害者に提供することができる。
＜処理の流れ＞
【００４７】
図１８は本実施形態の色覚情報変換装置のフローの一例の図である。本実施形態の色覚情報変換装置は以下のステップを有してもよい。ＣＣＤからデジタルの画像情報を取得する（ステップＳ１８０１）。画像情報により表示される画像の隣接する二色の組合せが色覚障害者が弁別困難な組合せである混同組であるか判断する（ステップＳ１８０２）。混同組がある際には、画像情報により表示される画像の隣接する二色のいずれか一方又は両者を色覚障害者が弁別容易な色とした画像情報である調整済画像情報に変換する（ステップＳ１８０３）。調整済画像情報を画像を表示するための装置に出力する（ステップＳ１８０４）。
＜効果＞
【００４８】
本実施形態の色覚情報変換装置を利用することで、ＣＣＤから直接デジタルの画像情報を取得して、色覚障害者に調整済画像情報を提供することができる。
＜実施形態６以上＞
＜実施形態７＞
＜概要＞
【００４９】
本実施形態の色覚情報変換装置の実施形態１記載の混同組判断部は、実施形態１記載の混同組である二色の組合せに関する混同組データベース手段を有し、前記混同組データベース手段は、実施形態１記載の隣接する二色の画像情報の組合せが、黄色と黄緑の組合せ、又は赤色と茶色の組合せ、又は寒色系の色同士の組合せ、又は暖色系の色同士の組合せ、又はパステル調の色同士の組合せを混同組として保持することを特徴とする。本実施形態の色覚情報変換装置を利用することで、色覚障害者に素早く実施形態１に記載の調整済画像情報を提供することができる。たとえば、図１中２ａに示される、黄色と黄緑と青の色相彩度情報を有する画像情報を取得する。混同判断部の混同組データベース手段は黄色と黄緑は混同組であるというデータを保持している。そのため、実施形態２に記載されるような計算をすることなしに、混同組データベース手段に問合せることで、画像情報が混同組を有していることを色覚情報変換装置は即座に判断することができる。そして、混同組があるため、変換部は図１中２ｃのように黄緑の色相彩度情報を水色に変化させる。このように本実施形態の色覚情報変換装置では、画像情報を取得すると共に、即座に調整済画像情報を色覚障害者に提供することできる。
＜構成＞
【００５０】
図１９は本実施形態の色覚情報変換装置の機能ブロックの一例である。本実施形態の色覚情報変換装置１９００は、画像情報取得部１９０１と混同判断部１９０２と変換部１９０３とを有する。これらは前述の実施形態と基本的に同様の機能を果たすので説明は省略する。
【００５１】
本実施形態の色覚情報変換装置の混同組判断部は、前記混同組である二色の組合せに関する混同組データベース手段１９０４を有し、前記混同組データベース手段１９０４は、前記隣接する二色の画像情報の組合せが、黄色と黄緑の組合せ、又は赤色と茶色の組合せ、又は寒色系の色同士の組合せ、又は暖色系の色同士の組合せ、又はパステル調の色同士の組合せを混同組として保持する。本実施形態の色覚情報変換装置においては、予め混同組と判定される二色の画像情報の組合せを混同組データベース手段に保持することで、混同組判断部が画像情報が混同組を有するか否かを計算の処理をすることなく即座に判断することができる。予め混同組データベース手段に保持されている混同組としては、黄色と黄緑の組合せ、又は赤色と茶色の組合せがある。これれは、実施形態２記載の混同線により判断される混同組と同じ組合せである。その混同組に加えて、本実施形態の混同組判断部では、寒色系の色同士の組合せ、又は暖色系の色同士の組合せ、又はパステル調の色同士の組合せを混同組であると判断される。この点が実施形態２記載の混同組判断部の判断と異なる。ただ、本実施形態の画像情報の色相彩度情報は定性的に定義されている。そのため、取得された画像情報の色相彩度情報は定性的な情報であること求められる。たとえば、２４色の色相彩度情報をあらわすフラグなどであってもよい。
＜処理の流れ＞
【００５２】
図２０は本実施形態の色覚情報変換装置のフローの一例の図である。本実施形態の色覚情報変換装置は以下のステップを有してもよい。画像情報を取得する（ステップＳ２００１）。画像情報により表示される画像の隣接する二色の組合せが色覚障害者が弁別困難な組合せである混同組であるかを保持された混同組を基に判断する（ステップＳ２００２）。混同組がある際には、画像情報により表示される画像の隣接する二色のいずれか一方又は両者を色覚障害者が弁別容易な色とした画像情報である調整済画像情報に変換する（ステップＳ２００３）。
＜効果＞
【００５３】
本実施形態の色覚情報変換装置を利用することで、色覚情報変換装置が画像情報を取得した後、色覚障害者は即座に調整済画像情報の提供を受けることができる。
＜実施形態７以上＞
＜実施形態８＞
＜概要＞
【００５４】
本実施形態の色覚情報変換装置の変換部は、実施形態１に記載の画像情報取得部が取得した画像情報を前記調整済画像情報に変換する際に、前記画像情報が有する明度の情報と色相彩度情報のいずれか一方又は両者を色差を利用して変化させることを特徴とする。本実施形態の色覚情報変換装置を利用することで、色覚障害者及び健常者は見易い調整済画像情報を閲覧することができる。たとえば、図６の天気予報図の中の日本地図０６０１において、平野部が黄緑色で山間部が緑色に表現されている際に、変換部が黄緑色を濃い緑色に変化させてしてしまうと、双方の色差の値が非常に小さくなり、濃い緑色の平野部と緑色の山間部との色の弁別が大変困難になってしまう。そこで、本実施形態の色覚情報変換装置を利用することで、平野部の黄緑色を水色に変化させる。すると、平野部が水色で山間部が緑色となり、双方の色差の値は大きくなり、日本地図の色相彩度情報の弁別が容易になって、見易い調整済画像情報を色覚障害者及び健常者に提供することができる。
＜構成＞
【００５５】
図２１は本実施形態の色覚情報変換装置の機能ブロックの一例である。本実施形態の色覚情報変換装置２１００は、画像情報取得部２１０１と混同判断部２１０２と変換部２１０３とを有する。これらは前述の実施形態と基本的に同様の機能を果たすので説明は省略する。
【００５６】
本実施形態の色覚情報変換装置の変換部は、前記画像情報取得部が取得した画像情報を前記調整済画像情報に変換する際に、前記画像情報が有する明度の情報と色相彩度情報のいずれか一方又は両者を色差を利用して変化させる。「明度の情報」とは、画素が有する色の情報の内明るさを表す情報をいう。「画像情報が有する明度の情報と色相彩度情報」とは、前記画像情報取得部が取得した画像情報が有する画素の明度の情報と色相彩度情報である。前記画素の明度の情報と色相彩度情報は前記混同判断部でで混同組と判断された、隣り合う二組の一方の画素であってもよいし、前記画像情報の任意の箇所の画素であってもよい。「色差」とは二色の色相彩度情報の違いを表わす値の情報である。色差は次のように求められる。Ｌ＊ａ＊ｂ＊表色系の場合、△Ｅ＊ａｂの数値で色差を表わす。
図２２にＬ＊ａ＊ｂ＊表色系色度図の一例を表わす。Ｌ＊ａ＊ｂ＊表色系では、明度の情報をＬ＊、色相彩度情報をａ＊とｂ＊で表わす。そして、色差である△Ｅ＊ａｂは｛（△Ｌ＊）２＋（△ａ＊）２＋（△ｂ＊）２｝１／２と計算される。「色差を利用して変化」とは、色覚障害者及び健常者にとって前記画像情報の画素の明度の情報と色相彩度情報を、色差の値が小さくならないように調整済画像が見易いように変化させることをいう。「色差の値が小さくならないように調整済画像が見易いように変化させる」とは、前記変換部が前記画像情報の画素の色相彩度情報を変化させることで、提供される調整済画像情報の隣り合う画素の色相彩度情報同士が色覚障害者及び健常者にとって弁別が困難な調整済画像情報となってしまうことを避けるために、変化部により変化された画素とそれと隣り合う画素の色差を求め、隣り合う画素の色差が一定の値以下であれば、色差が一定の値以上になるように、変化部が画素を変化させることをいう。
【００５７】
本実施形態の色覚情報変換装置の変換部の処理の実施の一例を説明する。混同組と判断された赤と茶色の隣り合う二つの画素の色相彩度情報が変換部により、茶色の画素が赤色に変化された。そこで、隣り合う赤い二つの画素の明度の情報と色相彩度情報（Ｌ＊，ａ＊，ｂ＊）の値については、イの画素の明度の情報と色相彩度情報（図２２中２２０１）が、（４３．３１，４７．６３，１４．１２）となり、ロの画素の明度の情報と色相彩度情報の値（図２２中２２０２）が、（４７．３４，４４．５８，１５．１６）となる。そして、二つの画素の明度の情報と色相彩度情報の差分の値（△Ｌ＊，△ａ＊，△ｂ＊）は、（４．０３，−３．０５，１．０４）となる。また、色差の値（Ｅ＊ａｂ）は、５．１６となる。本実施例では、色差を１０以上という条件を設定している。そのため、変換部は変換したロの画素を色差が１０以上となるように画素の明度の情報と色相彩度情報の値を変化し直す。そして、二つの画素の明度の情報と色相彩度情報の差分の値（△Ｌ＊，△ａ＊，△ｂ＊）が（２０，１０，１０）となるようにロの明度の情報と色相彩度情報の値（図２２中２２０３）を（２３．３１，３７．６３，２４．１２）に変化させるようにする。すると、色差（△Ｅ＊ａｂ）の値は２０となる。この色差の値は設定された条件である１０以上の値となるため、変換部はロの画素の明度の情報と色相彩度情報についての値の変化を処理する。そして、画像情報に混同組がなくなるまで、以上のような変換部による明度の情報と色相彩度情報の値の変化が処理されることで、色相彩度情報の弁別が容易となっている、色覚障害者及び健常者にとって見易い調整済画像情報を、両者に提供することができる。
＜処理の流れ＞
【００５８】
図２３は本実施形態の色覚情報変換装置のフローの一例の図である。本実施形態の色覚情報変換装置は以下のステップを有してもよい。画像情報を取得する（ステップＳ２３０１）。画像情報により表示される画像の隣接する二色の組合せが色覚障害者が弁別困難な組合せである混同組であるか判断する（ステップＳ２３０２）。混同組がある際には、画像情報により表示される画像の隣接する二色の色相彩度情報を変化させることで色覚障害者及び健常者が弁別容易な色とした画像情報である調整済画像情報に変換する（ステップＳ２３０３）。
＜効果＞
【００５９】
本実施形態の色覚情報変換装置を利用することで、色相彩度情報の弁別が容易な色覚障害者及び健常者にとって見易い調整済画像情報を両者に提供することができる。
＜実施形態８以上＞
【００６０】
尚、本願に係る発明は、上述の図示例にのみ限定されるものではなく、本発明の要旨を逸脱しない範囲内において種々変更を加え得ることは勿論である。
【００６１】
【発明の効果】
以上、説明したように本発明の請求項１〜８記載の色覚情報変換装置によれば、色覚障害者がいかなる画像情報を閲覧する際にも、色相彩度情報の弁別が困難であるという障害の不都合を感じることが少なくなるという優れた効果を奏し得る。
【図面の簡単な説明】
【図１】実施形態１の概念の一例の図
【図２】実施形態１の機能ブロックの一例の図
【図３】実施形態１のフローの一例の図
【図４】実施形態２の概念の一例の図
【図５】実施形態２の構成の一例の図
【図６】実施形態２の構成の一例の図
【図７】実施形態２の構成の一例の図
【図８】実施形態２の構成の一例の図
【図９】実施形態２のフローの一例の図
【図１０】実施形態３の機能ブロックの一例の図
【図１１】実施形態３の構成の一例の図
【図１２】実施形態３のフローの一例の図
【図１３】実施形態４の機能ブロックの一例の図
【図１４】実施形態４のフローの一例の図
【図１５】実施形態５の機能ブロックの一例の図
【図１６】実施形態５のフローの一例の図
【図１７】実施形態６の機能ブロックの一例の図
【図１８】実施形態６のフローの一例の図
【図１９】実施形態７の機能ブロックの一例の図
【図２０】実施形態７のフローの一例の図
【図２１】実施形態８の機能ブロックの一例の図
【図２２】実施形態８の構成の一例の図
【図２３】実施形態８のフローの一例の図
【符号の説明】
０２００  色覚情報変換装置
０２０１  画像情報取得部
０２０２  混同判断部
０２０３  変換部
【図１】
2004272516.tif 000003
【図２】
2004272516.tif 000004
【図３】
2004272516.tif 000005
【図４】
2004272516.tif 000006
【図５】
2004272516.tif 000007
【図６】
2004272516.tif 000008
【図７】
2004272516.tif 000009
【図８】
2004272516.tif 000010
【図９】
2004272516.tif 000011
【図１０】
2004272516.tif 000012
【図１１】
2004272516.tif 000013
【図１２】
2004272516.tif 000014
【図１３】
2004272516.tif 000015
【図１４】
2004272516.tif 000016
【図１５】
2004272516.tif 000017
【図１６】
2004272516.tif 000018
【図１７】
2004272516.tif 000019
【図１８】
2004272516.tif 000020
【図１９】
2004272516.tif 000021
【図２０】
2004272516.tif 000022
【図２１】
2004272516.tif 000023
【図２２】
2004272516.tif 000024
【図２３】
2004272516.tif 000025